(57)【要約】      （修正有）【課題】駐車禁止区域における車両での配達が困難な問題を解決し得る共用集配サテライト（中継）システムを提供する。【解決手段】配達物を格納し得る複数の格納部３と該格納部３の扉３ａを施錠する施錠機構３ｂとを有する集配サテライト装置１を備え、該集配サテライト装置１には制御部16、記憶部17、表示部19、入力部18及び通信部21が設けられ、格納取り出し制御は入力された集配業者の認識情報と、集配担当者の認識情報との何れもが記憶部17に記憶された集配業者の認識情報と、集配担当者の認識情報とにぞれぞれ一致したときに格納部３の扉３ａを解錠する制御を行う構成とした。【選択図】図４
2008156036.tif 000002
【特許請求の範囲】
【請求項１】
配達物を格納し得る複数の格納部と該格納部の扉を施錠する施錠機構とを有する集配サテライト装置を備え、
前記集配サテライト装置には制御部、記憶部、表示部、入力部及び通信部が設けられ、
前記記憶部に複数の集配業者の認識情報と、複数の集配担当者の認識情報とが記憶され、
前記制御部は配達物の格納制御と取出し制御を行い、前記制御部による格納制御は前記入力部または前記通信部から入力された前記集配業者の認識情報と、前記集配担当者の認識情報との何れもが前記記憶部に記憶された前記集配業者の認識情報と、前記集配担当者の認識情報とにぞれぞれ一致したときに空きの格納部の扉を解錠する制御を行い、
前記制御部による取出し制御は、前記入力部または前記通信部から入力された前記集配業者の認識情報と、前記集配担当者の認識情報との何れもが前記記憶部に記憶された前記集配業者の認識情報と、前記集配担当者の認識情報とにぞれぞれ一致したときに当該集配業者の配達物が格納されている格納部の扉を解錠する制御を行うように構成されていることを特徴とする共用集配サテライトシステム。
【請求項２】
前記制御部は、配達物の格納制御を行う場合に、前記入力部または前記通信部から入力された前記集配業者の認識情報と、前記集配担当者の認識情報との少なくとも一方が前記記憶部に記憶された前記集配業者の認識情報と、前記集配担当者の認識情報とのぞれぞれに一致しないときは、前記格納部の扉の解錠制御を行なわずに、前記表示部に所定のメッセージ表示を行うように構成されていることを特徴とする請求項１に記載の共用集配サテライトシステム。
【請求項３】
前記制御部は、配達物の取出し制御を行う場合に、前記入力部または前記通信部から入力された前記集配業者の認識情報と、前記集配担当者の認識情報との少なくとも一方が前記記憶部に記憶された前記集配業者の認識情報と、前記集配担当者の認識情報とのぞれぞれに一致しないとき、または前記格納部に当該集配業者の配達物が格納されていないときは、前記制御部は何れも前記格納部の扉の解錠制御を行なわずに、前記表示部に所定のメッセージ表示を行うように構成されていることを特徴とする請求項１または請求項２に記載の共用集配サテライトシステム。
【請求項４】
前記集配担当者の認識情報は携帯電話機から前記通信部を介して前記制御部に入力されることを特徴とする請求項１〜３の何れか１項に記載の共用集配サテライトシステム。
【請求項５】
前記集配サテライト装置には、更に該集配サテライト装置の操作者の映像を撮影する撮影装置が設けられ、前記制御部は、前記撮影装置により撮影された映像を前記記憶部に記憶するように構成されていることを特徴とする請求項１〜４の何れか１項に記載の共用集配サテライトシステム。
【発明の詳細な説明】
【技術分野】
【０００１】
本発明は、複数の集配業者が共用出来る集配サテライト（中継）システムに関し、特に駐車不可能な集配地域において複数の集配業者が配達物を一時的に中継して格納するために好適な集配サテライトシステムに関するものである。
【背景技術】
【０００２】
従来、宅配便等を行う集配業者は、顧客から集荷した複数の配達物を物流センターで配達地域毎に区分けし、その区分した配達物をトラック等の集配車に積載して当該地域に配達している。その際、配達担当者は集配車を配達先まで運転し、配達先付近の道路等に一時的に駐車してから配達物を配達先に持参している。
【０００３】
しかしながら、平成１８年６月から施行されている違法駐車対策に関する道路交通法改正により一時的な車両駐車が禁止される区域が著しく増えたので配達先近辺に駐車が出来ない場合も多くなり、車両での配達が極めて困難な状況になっている。
【０００４】
一方、特定の地域また店舗に設置された扉付きの格納部を有するロッカー（またはボックス）に配達業者が配達物を格納して施錠し、解錠キーもしくは解錠情報を受け取った受取人が扉を解錠して配達物を取出す方法が特許文献１〜３に記載されている。
【０００５】
【特許文献１】特開平１１−１５１１５４号公報
【特許文献２】特開２００２−１２８２４８号公報
【特許文献３】特開２００２−２６９４６７号公報
【発明の開示】
【発明が解決しようとする課題】
【０００６】
しかしながら、前述の各特許文献の技術では、集配業者から配達物の受取人への個々の配達物の受渡しにロッカー等を利用するものであるが、これらの方法では駐車禁止区域における配達困難性の解決にはならないという問題があった。
【０００７】
本発明は前記課題を解決するものであり、その目的とするところは、駐車禁止区域における車両での配達が困難な問題を解決し得る共用集配サテライト（中継）システムを提供せんとするものである。
【課題を解決するための手段】
【０００８】
前記目的を達成するための本発明に係る共用集配サテライトシステムの第１の構成は、配達物を格納し得る複数の格納部と該格納部の扉を施錠する施錠機構とを有する集配サテライト装置を備え、前記集配サテライト装置には制御部、記憶部、表示部、入力部及び通信部が設けられ、前記記憶部に複数の集配業者の認識情報と、複数の集配担当者の認識情報とが記憶され、前記制御部は配達物の格納制御と取出し制御を行い、前記制御部による格納制御は前記入力部または前記通信部から入力された前記集配業者の認識情報と、前記集配担当者の認識情報とのいずれもが前記記憶部に記憶された前記集配業者の認識情報と、前記集配担当者の認識情報とにぞれぞれ一致したときに空きの格納部の扉を解錠する制御を行い、前記制御部による取出し制御は、前記入力部または前記通信部から入力された前記集配業者の認識情報と、前記集配担当者の認識情報とのいずれもが前記記憶部に記憶された前記集配業者の認識情報と、前記集配担当者の認識情報とにぞれぞれ一致したときに当該集配業者の配達物が格納されている格納部の扉を解錠する制御を行うように構成されていることを特徴とする。
【０００９】
また、本発明に係る共用集配サテライトシステムの第２の構成は、前記第１の構成において、前記制御部は、配達物の格納制御を行う場合に、前記入力部または前記通信部から入力された前記集配業者の認識情報と、前記集配担当者の認識情報との少なくとも一方が前記記憶部に記憶された前記集配業者の認識情報と、前記集配担当者の認識情報とのぞれぞれに一致しないときは、前記格納部の扉の解錠制御を行なわずに、前記表示部に所定のメッセージ表示を行うように構成されていることを特徴とする。
【００１０】
また、本発明に係る共用集配サテライトシステムの第３の構成は、前記第１、第２の構成において、前記制御部は、配達物の取出し制御を行う場合に、前記入力部または前記通信部から入力された前記集配業者の認識情報と、前記集配担当者の認識情報との少なくとも一方が前記記憶部に記憶された前記集配業者の認識情報と、前記集配担当者の認識情報とのぞれぞれに一致しないとき、または前記格納部に当該集配業者の配達物が格納されていないときは、前記制御部はいずれも前記格納部の扉の解錠制御を行なわずに、前記表示部に所定のメッセージ表示を行うように構成されていることを特徴とする。
【００１１】
また、本発明に係る共用集配サテライトシステムの第４の構成は、前記第１〜第３の構成において、前記集配担当者の認識情報は携帯電話機から前記通信部を介して前記制御部に入力されることを特徴とする。
【００１２】
また、本発明に係る共用集配サテライトシステムの第５の構成は、前記第１〜第４の構成において、前記集配サテライト装置には、更に該集配サテライト装置の操作者の映像を撮影する撮影装置が設けられ、前記制御部は、前記撮影装置により撮影された映像を前記記憶部に記憶するように構成されていることを特徴とする。
【発明の効果】
【００１３】
本発明に係る共用集配サテライトシステムの第１の構成によれば、予め登録されて記憶部に記憶された複数の集配業者とその集配担当者のみが格納部の扉の施錠操作及び解錠操作を行うことが出来る。このように本発明のシステムでは二重チェック方式で配達物の格納と取り出し操作が出来るようになっているので、例えば登録されている特定の集配業者情報を記録したＩＤカード等を第三者が不法に取得し、または登録されている他の集配業者が誤って取り換え、それを用いて配達物を格納、または格納された配達物の取出しを行おうとしても、更に登録された集配担当者情報を入力しなければそれらの操作が不可能であり、例え複数の集配業者がシステムを共用しても、第三者に対するセキュリティ性及び登録した集配業者相互に対するセキュリティ性が極めて高い。
【００１４】
また、共通の集配サテライト装置を複数の登録された集配業者が共用する方式としたので、当該集配サテライト装置が設置されている地域における１社あたりの配達物の数が少ない場合であっても、複数の集配業者の共用により全体としての稼働率が向上し、メンテナンス費用、償却費、固定資産税等の１社あたりの維持コストが低減出来る。
【００１５】
このような集配サテライト装置を、例えば長期契約した駐車場の空きスペース、コンビニエンストア等の店舗駐車場の空きスペース等、集配サテライト装置の設置と集配車の駐車が可能な場所を適宜選択して設置することにより、駐車禁止区域における車両での配達が困難な問題を解決し得る共用集配サテライト（中継）システムとすることが出来る。
【００１６】
また、本発明に係る共用集配サテライトシステムの第２の構成によれば、集配担当者が配達物の格納に際して入力ミスをした場合に、集配担当者はそれを速やかに認識して再操作出来るので、特定の集配担当者による集配サテライト装置の占拠状態の長時間化を防止出来る。
【００１７】
また、本発明に係る共用集配サテライトシステムの第３の構成によれば、集配担当者が配達物の取り出しに際して入力ミスをした場合に、集配担当者はそれを速やかに認識して再操作出来るので、特定の集配担当者による集配サテライト装置の占拠状態の長時間化を防止出来る。また、特定の集配業者による配達物の格納が存在しないときに、その集配業者の集配担当者が配達物の取り出し操作を行った場合に、その誤操作を集配担当者に速やかに認識させ、当該取り出し操作を停止させて占拠状態を解除することが出来る。
【００１８】
また、本発明に係る共用集配サテライトシステムの第４の構成によれば、集配担当者の保持する携帯電話機の番号を予め集配担当者の認識情報として記憶部に記憶することにより、当該携帯電話機で集配サテライト装置の操作盤等に表示された電話番号を呼び出すと当該集配担当者情報が自動的に制御部に入力出来る。
【００１９】
また、本発明に係る共用集配サテライトシステムの第５の構成によれば、集配サテライト装置またはそれに関連する何らかの事故が発生した場合に、撮影装置により撮影され記憶部に記憶した操作者の映像をその事故の原因や背景の解明に役立てることが出来る。
【発明を実施するための最良の形態】
【００２０】
図により本発明に係る共用集配サテライトシステムの一実施形態を具体的に説明する。図１及び図２は本発明に係る共用集配サテライトシステムの模式説明図、図３は集配サテライト装置の操作盤の一例を示す図、図４は集配サテライト装置に設けられる制御装置の構成を示すブロック図、図５及び図６は本発明に係る共用集配サテライトシステムの動作を説明するフローチャート、図７は集配サテライト装置により発行された集配伝票の一例を示す図である。
【００２１】
図１において、本発明に係る共用集配サテライトシステムを構成する集配サテライト装置１は複数の配達地域にそれぞれ第１集配サテライト装置、第２集配サテライト装置・・・第ｎ集配サテライト装置、というように所望の地域ごとに設置される。これら各集配サテライト装置１の設置は、例えば長期契約した駐車場の空きスペース、コンビニエンスストア等の店舗駐車場の空きスペース等、集配サテライト装置１の設置と集配車２の駐車が可能な場所が適宜選択される。
【００２２】
図１及び図２に示すように、例えば共用集配サテライトシステムに登録された集配業者（Ａ社，Ｂ社、Ｃ社）は、複数の地域に配達すべき配達物を集配車２に積載し、地域毎に配達すべき配達物を当該地域に設置した集配サテライト装置１にそれぞれ格納していく。集配サテライト装置１に格納された配達物は改めて当該集配業者の集配担当者が取り出し、例えば台車等の道路交通法に規定された車両に該当しない運搬手段７に積み込んで駐車禁止区域の配達先に配達する。
【００２３】
図２は図１に示す集配サテライト装置１を具体的に示す図である。集配サテライト装置１は配達物を格納し得る複数（図２に示す例では１４個）の格納部３と、図３に示す共通の操作盤４を備えている。集配サテライト装置１には図４に示して後述する制御部16、通信部21等を備えた制御装置15が設けられ、制御部16は通信部21を介して管理センター５、携帯電話機６等と無線通信回線25を通して通信出来るようになっている。
【００２４】
図２には集配業者としてＡ社，Ｂ社，Ｃ社の３社の集配車２が１例として示されており、各社の集配車２は入れ替わり立ち代り集配サテライト装置１の空いている格納部３に配達物を格納し、地域集配を担当する集配担当者は自己の属する集配業者が格納した配達物を格納部３から取り出し、台車等の運搬手段７に積み込んで配達する。
【００２５】
図３は操作盤４の一例を示す図である。操作盤４には図４に示して後述する入力部18を兼ねたタッチ表示画面８、カード挿入部９、集配伝票排出部10及び操作盤４の操作者の映像を撮影する撮影装置となるカメラ等の撮影部11が設けられる。
【００２６】
操作盤４のタッチ表示画面８にはメニュー選択画面が表示され、該タッチ表示画面８にはタッチセンサ式の格納キー12と取出し選択キー13が含まれる。更にタッチ表示画面８には各格納部３の選択を行うタッチセンサ式の格納部選択キー14とテンキー26が表示される。操作者は例えばテンキー26により集配業者の認識情報等を入力し、格納キー12と格納部選択キー14を選択して格納したい格納部３に配達物を格納し、取出し選択キー13を選択して所定の格納部３に格納してある配達物を取り出す。
【００２７】
尚、後述する制御部16により、格納部選択キー14の色を例えば配達物が格納されているときは赤色、配達物が格納されていないときは黒色に切り換えるように制御することにより、どの格納部３が空いているかの空き情報をタッチ表示画面８に自動表示出来る。
【００２８】
図４は集配サテライト装置１に設けられる制御装置15のブロック図である。制御装置15は、コンピュータ等により構成される制御部16、ＲＯＭ（Read Only Memory)，ＲＡＭ（Random Access Memory)、フラッシュメモリ、或いは光記憶装置や磁気記憶装置等により構成される記憶部17、図３に示すタッチ表示画面８に表示されるタッチセンサからなるテンキー26やカード挿入部９から挿入されるカードの情報を読取るカードリーダ等により構成される入力部18、図３に示すタッチ表示画面８を含む表示部19、格納部３の扉３ａの施錠及び解錠を行う施錠機構３ｂを駆動する駆動部20、及び通信部21を備えている。
【００２９】
更に制御部16は撮影装置となる撮影部11により撮影された映像情報を記憶部17に記憶する制御を行う。また制御部16は図７に示す集配伝票27を出力するためのプリンタからなる出力部22を制御し、該出力部22から出力される集配伝票27は図３に示す集配伝票排出部10から排出される。
【００３０】
更に制御部16にはスピーカ等により構成される音響部23が接続される。尚、図３に示すタッチ表示画面８には点線で示すメッセージ表示部19のスペースがあり、そこにメッセージが表示されるときに、同じ内容の説明音が音響部23から出力されるようになっている。
【００３１】
図４に示す駆動部20は格納部３の扉３ａの施錠機構３ｂに設けた電磁シリンダ等の駆動装置を駆動するものであり、制御部16から施錠信号が出力されると前記駆動装置を駆動して扉３ａを施錠し、制御部16から解錠信号が出力されると前記駆動装置を駆動して扉３ａを解錠する。尚、格納部３の内部には配達物が格納されたことを検出する赤外線式または超音波式の物品検出部24が設けられ、その検出信号は制御部16に入力される。
【００３２】
モデム等を含む通信部21は、無線通信回線25を利用して制御部16が管理センター５の制御コンピュータや携帯電話機６等と無線通信するために設けられる。
【００３３】
次に図１〜図４に示す本発明の共有集配サテライトシステムの動作について図５及び図６を参照して説明する。最初に記憶部17に複数の集配業者の認識情報と、複数の集配担当者の認識情報とを記憶する方法を説明する。先ず、本システムに参加して会員となる集配業者は、自己（集配業者）の認識情報、本システムの集配業務を担当する集配担当者の認識情報、及び各地域に設置した集配サテライト装置１のうち使用を希望する装置番号を管理センター５に通知する。管理センター５はコンピュータ装置の記憶装置にそれらの情報を記憶（登録）すると共に、該当する集配サテライト装置１にその情報を無線通信回線25により通知する。通知を受けた集配サテライト装置１の制御部16は集配業者の認識情報と、集配担当者の認識情報とを記憶部17に記憶して登録する。
【００３４】
図５において、登録された集配業者の集配担当者が集配サテライト装置１にアクセスするには、先ずステップＳ１で集配サテライト装置１の入力部18を構成するテンキー26またはカード挿入部９から挿入したＩＣカードにより集配業者の認識情報（ＩＤ）を入力する。すると制御部16はステップＳ２で入力された集配業者の認識情報と、記憶部17に記憶（登録済み）された同認識情報とを比較し、両情報が一致しないときはステップＳ16に移って不一致である旨のメッセージ情報を図３のタッチ表示画面８からなる表示部19に表示してステップＳ１に戻り、両情報が一致したときは登録された集配業者であると認識して、ステップＳ３で前記集配業者の集配担当者の認識情報入力を可能な状態にする。
【００３５】
集配担当者の認識情報の入力は携帯電話機６または入力部18を構成するテンキー26のいずれも可能である。携帯電話機６からの入力を可能にするためには、表示部19を構成するタッチ表示画面８に例えば「○○○番にお電話をお掛けください。」という表示がなされるように制御部16の制御プログラムを構築すると共に、記憶部17には集配担当者情報として電話番号情報（実際には電話番号情報とそれに続く機器識別番号を含む、以下、同じ）も記憶（登録）しておく。
【００３６】
集配担当者が指定された上記電話番号に電話すると、集配担当者の認識情報となる電話番号が携帯電話機６から無線通信回線25、通信部21を介して制御部16に入力される。制御部16は通信部21を介して携帯電話番号情報を受信し、ステップＳ４で該電話番号情報と、予め登録された電話番号情報とを比較し、両情報が一致しないときはステップＳ16に移って不一致である旨のメッセージ情報を表示部19を構成する図３のタッチ表示画面８に表示してステップＳ１に戻り、両情報が一致したときは登録された集配担当者であると認識してステップＳ５でメニュー選択を可能にする。
【００３７】
ステップＳ５で図３の格納キー12をタッチして格納を選択すると、制御部16はステップＳ６でそれを確認してからステップＳ７に移り、空きの格納部３が選択可能な状態になる。
【００３８】
尚、集配担当者の認識情報の入力をテンキー26から行ったときは、制御部16はその認識情報（例えばＩＤコード情報）と登録された集配担当者の認識情報とを比較し、その後は上記の電話番号情報を入力した場合と同じような制御をする。
【００３９】
次にステップＳ７で図３に示す格納部選択キー14を選択し、空きの格納部３を選択すると、ステップＳ８において制御部16は選択した格納部３の扉３ａを解錠する制御を行う。次に集配担当者は格納すべき１個または数個の配達物を当該格納部３に格納し、タッチ表示画面８に表示される図示しない格納完了ボタンを押すと、ステップＳ９において制御部16はそれを確認し、ステップＳ10で格納部３の扉３ａを施錠する制御を行う。それと共にステップＳ11で制御部16は当該格納部３を選択する格納部選択キー14の色を空き状態の色（例えば黒色）から格納状態の色（例えば赤色）に切り換える制御を行う。次にステップＳ12で制御部16は出力部22を制御して図７に示す集配伝票27を発行する制御を行う。
【００４０】
図７は集配サテライト装置１により発行された集配伝票27の一例である。集配伝票27には集配日時（格納の場合は格納の日時）、格納した集配サテライト装置１の番号、集配業者名、集配担当者名、「格納」または「取出し」の区分、配達物番号等が記載される。尚、配達物番号は配達物に貼り付けられている集配業者固有の通し番号であり、それを格納部３に格納する際に該格納部３内または該格納部３に隣接して設けられた読取装置（例えば光学式リーダ）に読取らせて記憶部17に記憶すると、その記憶された配達物番号が集配伝票27に記載される。
【００４１】
次にステップＳ13で制御部16は格納部３の状況変化を管理センター５に通知する制御を行うと共に、その状態変化を記憶部17に記憶する制御を行って一連の制御を終了する。前記ステップＳ９で格納が確認出来ず、ステップＳ14で制御部16がその状態が予め設定された時間をオーバしたと判断すると、ステップＳ15で前記解錠した格納部３の扉３ａを施錠する制御を行い、ステップＳ16で表示部19を制御してその旨のメッセージ（例えば、「格納時間をオーバしたのでもう一度操作を繰り返してください。」というメッセージ）を表示部19となるタッチ表示画面８に表示する制御を行い、ステップＳ17でタッチ表示画面８に表示されているエンドボタンを選択しなければ前記ステップＳ１に戻る。
【００４２】
一方、前記ステップＳ５で格納メニューを選択しなかったときは、図５のステップＳ６から図６のステップＳ20に移る。制御部16は図６のステップＳ20において取出しメニューの確認が出来ない場合はステップＳ21に移り、そこでエンドボタンが選択されれば制御を終了し、所定時間エンドボタンが選択されない場合は図６のステップＳ21から図５のステップＳ16に戻って選択を促すメッセージを表示する制御を行う。
【００４３】
前記図６のステップＳ20で制御部16が取り出しメニューの選択を確認すると、ステップＳ22で当該集配業者が配達物を格納した格納部３が存在するか否かを判断する。当該集配業者が配達品を格納した場合は、図５に示す前記ステップＳ13でその事実が記憶部17に記憶されるので、制御部16はその記憶内容を検索出来る。
【００４４】
当該集配業者が配達物を格納したと考える格納部３が存在しない場合は、図５のステップＳ16で制御部16はその旨を表示する制御を行い、当該集配業者が配達物を格納したと考える格納部３が存在する場合は図６のステップＳ23で当該格納部３の扉３ａを解錠する制御を行う。次にステップＳ24で制御部16は扉３ａを解錠した格納部３に格納していた配達物の取り出しが全て完了したか否かを判断する。尚、格納部３内に配達物が存在するか否かは図４に示す物品検出部24で検出され、該物品検出部24の検出信号は制御部16に入力されるので、制御部16はその検出信号により前記判断を行う。
【００４５】
次に図６のステップＳ24で制御部16が配達物の取り出しを確認したら、ステップＳ25で前記解錠した格納部３の扉３ａを施錠する制御を行う。それと共に制御部16はステップＳ26で当該格納部３を選択する格納部選択キー14の色を格納状態の色（例えば赤色）から空き状態の色（例えば黒色）に切り換える制御を行う。
【００４６】
次にステップＳ27で制御部16は出力部22を制御して図７に示す集配伝票27を発行する制御を行う。次にステップＳ28で制御部16は格納部３の状況変化を管理センター５に通知する制御を行うと共に、その状態変化を記憶部17に記憶する制御を行って一連の制御を終了する。
【００４７】
一方、前記ステップＳ24で配達物の取り出しが確認出来ず、制御部16がステップＳ29でその状態が予め設定された時間をオーバしたと判断すると、ステップＳ30で前記解錠した格納部３の扉３ａを施錠する制御を行い、図５のステップＳ16に移り、そこで表示部19を制御してその旨のメッセージ（例えば、「貴社が格納した配達物は見当たりません」等のメッセージ）を表示部19となるタッチ表示画面８に表示する制御を行い、前記ステップＳ17でタッチ表示画面８に表示されているエンドボタンを選択しなければ前記図５のステップＳ１に戻る。
【００４８】
即ち、制御部16は配達物の格納制御と取出し制御を行い、該制御部16による格納制御は入力部18または通信部21から入力された集配業者の認識情報と、その集配業者に所属する集配担当者の認識情報との何れもが記憶部17に記憶された集配業者の認識情報と、その集配業者に所属する集配担当者の認識情報とにぞれぞれ一致したときに空きの格納部３の扉３ａを解錠する制御を行い、制御部16による取出し制御は、入力部18または通信部21から入力された集配業者の認識情報と、その集配業者に所属する集配担当者の認識情報との何れもが記憶部17に記憶された集配業者の認識情報と、その集配業者に所属する集配担当者の認識情報とにぞれぞれ一致したときに当該集配業者の配達物が格納されている格納部３の扉３ａを解錠する制御を行う。
【００４９】
また、制御部16は、配達物の格納制御を行う場合に、入力部18または通信部21から入力された集配業者の認識情報と、その集配業者に所属する集配担当者の認識情報との少なくとも一方が記憶部17に記憶された集配業者の認識情報と、その集配業者に所属する集配担当者の認識情報とのぞれぞれに一致しないときは、格納部３の扉３ａの解錠制御を行なわずに、表示部19となるタッチ表示画面８に「登録がされていません。登録手続を行ってください。」等の所定のメッセージ表示を行うように構成されている。
【００５０】
また、制御部16は、配達物の取出し制御を行う場合に、入力部18または通信部21から入力された集配業者の認識情報と、その集配業者に所属する集配担当者の認識情報との少なくとも一方が記憶部17に記憶された集配業者の認識情報と、その集配業者に所属する集配担当者の認識情報とのぞれぞれに一致しないとき、または格納部３に当該集配業者の配達物が格納されていないときは、制御部16は何れも格納部３の扉３ａの解錠制御を行なわずに、表示部19となるタッチ表示画面８に「貴社が格納した配達物は見当たりません」等の所定のメッセージ表示を行うように構成されている。
【産業上の利用可能性】
【００５１】
本発明の活用例として、複数の集配業者が共用出来る集配サテライト（中継）システムに適用出来、特に駐車不可能な集配地域において複数の集配業者が配達物を一時的に中継して格納するために好適な集配サテライトシステムに適用出来る。
【図面の簡単な説明】
【００５２】
【図１】本発明に係る共用集配サテライトシステムの模式説明図である。
【図２】本発明に係る共用集配サテライトシステムの模式説明図である。
【図３】集配サテライト装置の操作盤の一例を示す図である。
【図４】集配サテライト装置に設けられる制御装置の構成を示すブロック図である。
【図５】本発明に係る共用集配サテライトシステムの動作を説明するフローチャートである。
【図６】本発明に係る共用集配サテライトシステムの動作を説明するフローチャートである。
【図７】集配サテライト装置により発行された集配伝票の一例を示す図である。
【符号の説明】
【００５３】
１…集配サテライト装置
２…集配車
３…格納部
３ａ…扉
３ｂ…施錠機構
４…操作盤
５…管理センター
６…携帯電話機
７…運搬手段
８…タッチ表示画面
９…カード挿入部
10…集配伝票排出部
11…撮影部
12…格納キー
13…取出し選択キー
14…格納部選択キー
15…制御装置
16…制御部
17…記憶部
18…入力部
19…表示部
20…駆動部
21…通信部
22…出力部
23…音響部
24…物品検出部
25…無線通信回線
26…テンキー
27…集配伝票
【図１】
2008156036.tif 000003
【図２】
2008156036.tif 000004
【図３】
2008156036.tif 000005
【図４】
2008156036.tif 000006
【図５】
2008156036.tif 000007
【図６】
2008156036.tif 000008
【図７】
2008156036.tif 000009